(57)【特許請求の範囲】
【請求項１】
放送局が放送したデータを受信する第１受信部と、
前記データを、またはそのデータが蓄積用に処理された後のデータを蓄積する蓄積部と、
前記蓄積部によって蓄積されたデータが最終的に正しく蓄積されたか否かを判定する判定部と、
前記判定部によって前記最終的に正しく蓄積されなかったと判定された場合、前記最終的に正しく蓄積されなかった部分を少なくとも含むデータの個別送信要求を、通信回線を用いて前記放送局またはデータ供給者へ送信する送信部と、
前記放送局または前記データ供給者が、前記個別送信要求に基づいて、その個別送信要求に対応するデータを、前記通信回線を用いて個別送信した場合、その個別送信されたデータを受信する第２受信部と、
前記第２受信部によって受信されたデータのうちの、少なくとも前記最終的に正しく蓄積されなかった部分を、前記蓄積部に蓄積させる制御部とを備えたことを特徴とするデータ記録装置。
【請求項２】
前記判定部はさらに、前記データの最終的に正しく蓄積されなかった部分を特定し、
前記制御部は、前記第２受信部によって受信されたデータのうちの、前記最終的に正しく蓄積されなかった部分のみを、前記蓄積部に蓄積させることを特徴とする請求項１記載のデータ記録装置。
【請求項３】
前記判定部は、前記第１受信部における動作が正しく行われたか否かを判定することを特徴とする請求項１記載のデータ記録装置。
【請求項４】
前記判定部は、前記蓄積部における動作が正しく行われたか否かを判定することを特徴とする請求項１記載のデータ記録装置。
【請求項５】
請求項１から４のいずれかに記載のデータ記録装置の、前記蓄積部によって蓄積されたデータが最終的に正しく蓄積されたか否かを判定する前記判定部、前記第２受信部によって受信されたデータのうちの少なくとも前記最終的に正しく蓄積されなかった部分を前記蓄積部に蓄積させる前記制御部、としてコンピュータを機能させるプログラムを記録したプログラム記録媒体であって、コンピュータにより処理可能なプログラム記録媒体。
【発明の詳細な説明】
【０００１】
【発明の属する技術分野】
本発明は、放送局から放送されるデータや、個別に送信されるデータを記録するデータ記録装置と、プログラム記録媒体とに関するものである。
【０００２】
【従来の技術】
現在、我々は、家庭等において、放送局から放送される番組を、リアルタイムで視聴したり、ビデオ機器を用いて一旦記録した後にあらためて再生して視聴したりしている。
【０００３】
ところで、ディジタル技術の進歩とともに、放送局からの番組は、アナログ信号ばかりでなく、ディジタル信号も用いられて放送されている。ディジタル信号を用いると、番組を構成するＡＶデータを高度に圧縮することができるので、放送局は、多くのチャンネルの番組を放送することができる。
【０００４】
他方放送とは別に、ディジタルデータを記録するためのＨＤＤや光ディスク等のデータ記録媒体の大容量化も行われている。
【０００５】
このような多チャンネル化、データ記録媒体の大容量化、さらにユーザの嗜好の多様化などにより、ＡＶなどの放送データは、リアルタイムで視聴されることも勿論であるが、それとともに、一旦記録された後あらためて再生されるという場面が増えてくると予測される。
【０００６】
【発明が解決しようとする課題】
ところで、放送局から放送される番組をビデオ機器等を用いて記録しようとする場合、放送局と各家庭との間のデータ中継局でトラブルが発生すると、放送データは正しく伝送されない。この場合、受信側は、データを正しく受信することができないので、データを正しく記録することができない。また、特に衛星放送においては、大雨や雪など異常な気象状況下では、放送データは正しく伝送されないこともある。その場合も、受信側は、データを、正しく受信することができないので、正しく記録することができない。ディジタル放送では、データが高度に圧縮されているために、データ中継局をも含むデータ伝送経路におけるトラブルの発生確率が高く、また異常気象の影響も受けやすいので、番組を構成する放送データの一部が正しく伝送されないという可能性が小さくない。このように正しくデータが伝送されないと、データは、正しく受信されず、その結果正しく記録されない。なお、ディジタル放送では、誤り訂正符号が送信されるので、その誤り訂正符号を利用してもデータを復元することができない場合に、データは正しく受信されなかったということになる。
【０００７】
また、データが正しく伝送され、受信側において正しく受信された場合であっても、地震等の振動や、データ記録装置内のいずれかの手段の不良、さらにデータ記録媒体の劣化等のために、データを正しく記録することができないこともある。例えば、データ記録媒体としてＨＤＤや光ディスクを用いた場合、地震等の振動によって、データを記録するためのヘッドがディスクの正しいトラック位置に移動しなかったり、トラックをはずれることがある。このような場合、データは正しく記録されない。また例えば、データ記録媒体へデータを記録する記録手段の不良や、データ記録装置内のデータ伝送経路において発生するトラブル等の、データ記録装置内におけるトラブルによっても、データは正しく記録されない。また、停電によってデータ記録装置が動作を停止した場合にも、データは正しく記録されない。さらに、データ記録媒体が経時変化等によって劣化している場合や、データ記録媒体にゴミが付着している場合など、データ記録媒体が不良な状態である場合にも、データは正しく記録されない。
【０００８】
いずれにしても、データが正しく記録されなかった場合、ユーザは、正しく記録されなかった欠落データの存在を、再生するときまで気付かない。したがって、欠落データを含む番組が再放送されても、その再放送時までに、ユーザは、その欠落データの存在を知らなければ、その欠落データを補充するために再放送データを記録させることができない。
【００１０】
そこで、上述した課題を考慮して、本発明は、記録を指示された放送データの全部または一部を正しく記録することができなかった場合、その正しく記録することができなかった放送データを通信回線を用いて個別に送信するように要求し、放送局またはデータ提供者側が、その個別送信要求に応じて、少なくとも正しく記録することができなかったデータを通信回線を用いて個別に送信した場合、個別送信データのうちの、正しく記録することができなかったデータを少なくとも記録するデータ記録装置を提供することを目的とするものである。
【００１２】
【課題を解決するための手段】
本発明（請求項１に対応）は、放送局が放送したデータを受信する第１受信部と、
前記データを、またはそのデータが蓄積用に処理された後のデータを蓄積する蓄積部と、
前記蓄積部によって蓄積されたデータが最終的に正しく蓄積されたか否かを判定する判定部と、
前記判定部によって前記最終的に正しく蓄積されなかったと判定された場合、前記最終的に正しく蓄積されなかった部分を少なくとも含むデータの個別送信要求を、通信回線を用いて前記放送局またはデータ供給者へ送信する送信部と、
前記放送局または前記データ供給者が、前記個別送信要求に基づいて、その個別送信要求に対応するデータを、前記通信回線を用いて個別送信した場合、その個別送信されたデータを受信する第２受信部と、
前記第２受信部によって受信されたデータのうちの、少なくとも前記最終的に正しく蓄積されなかった部分を、前記蓄積部に蓄積させる制御部とを備えたことを特徴とするデータ記録装置である。
また、本発明に関連する発明は、放送局が放送したデータを受信する受信部と、
前記データを、またはそのデータが蓄積用に処理された後のデータを蓄積する蓄積部と、
前記蓄積部によって蓄積されたデータが最終的に正しく蓄積されたか否かを判定する判定部と、
前記放送局が、前記判定部によって最終的に正しく蓄積されなかったと判定された部分を少なくとも含むデータを再放送した場合、その再放送データのうちの、少なくとも前記最終的に正しく蓄積されなかった部分を、前記蓄積部に蓄積させる制御部とを備えたことを特徴とするデータ記録装置である。
【００１３】
【発明の実施の形態】
以下に、本発明の実施の形態および参考例を図面を参照して説明する。
【００１４】
（参考例）
先ず参考例として、本発明に関連する発明のデータ記録装置１の構成を、図１を用いて述べる。
【００１５】
図１は、本発明に関連する発明のデータ記録装置１のブロック図である。図１に示すように、本発明に関連する発明のデータ記録装置１は、チューナ２と、信号処理部３と、蓄積部４と、判定部５と、制御部６と、ネットワークＩ／Ｆ７から構成される。なお、図１には、アンテナ８と、デコーダ９と、ディスプレイ１０と、スピーカ１１と、放送局１２も表示している。
【００１６】
さて、チューナ２は、アンテナ８によって受信された、放送局１２からの複数のチャンネルの放送データのなかから、一つ以上のチャンネルの放送データを選択的に受信する手段である。なお、放送データはディジタルのＡＶデータであるとする。
【００１７】
信号処理部３は、チューナ２によって受信されたＡＶデータを、蓄積部４に蓄積させるための蓄積用データに処理する手段である。
【００１８】
蓄積部４は、多数のトラックが設けられているハードディスクと、ヘッドとを有するＨＤＤであって、ヘッドを用いて、信号処理部３によって処理された蓄積用データをハードディスクに記録する手段である。
【００１９】
判定部５は、放送局１２からのＡＶデータのうちの、チューナ２によって選択的に受信されたＡＶデータが正しく蓄積部４に記録され蓄積されたか否かを判定する手段である。
【００２０】
制御部６は、ユーザの指示を入力し、その指示にしたがってチューナ２および信号処理部３の動作を制御するとともに、指示された番組を蓄積部４に蓄積させる手段である。また、制御部６は、判定部５によって、放送局１２からのＡＶデータが正しく蓄積部４に蓄積されなかったと判定され、その後放送局１２がその正しく蓄積されなかったＡＶデータを再放送する場合、その再放送ＡＶデータのうちの前回正しく蓄積されなかったと判定された部分を、蓄積部４に蓄積させる手段でもある。
【００２１】
ネットワークＩ／Ｆ７は、判定部５によって、放送局１２からのＡＶデータが正しく蓄積部４に蓄積されなかったと判定された場合、その正しく蓄積されなかったＡＶデータを再放送するように要求するための再放送要求を、通信回線を用いて放送局１２に送信する手段である。
【００２２】
アンテナ８は、放送局１２からのＡＶデータを受信し、そのＡＶデータをチューナ２に伝送する手段である。
【００２３】
デコーダ９は、蓄積部４に蓄積されているデータを、映像や音声に復元する手段である。
【００２４】
ディスプレイ１０は、デコーダ９によって復元された映像を表示する手段である。
【００２５】
スピーカ１１は、デコーダ９によって復元された音声を出力する手段である。
【００２６】
放送局１２は、チャンネル１〜４の４チャンネルのＡＶデータを放送するとともに、ＥＰＧ（電子番組ガイド）を放送する手段である。なお、放送局１２が放送するＡＶデータは、映像および／または音のディジタルデータがパケット化されたパケット多数個から構成されるＡＶビットストリームであって、誤り訂正符号を含むものであるとする。また、そのＡＶビットストリームは、局所集中的な誤り（バースト誤り）が発生し、記録後の再生が局所的にできなくなることを防ぐために、パケットの順序が再生時の順序とは異なり並べ替えされた状態の、つまりインターリーブ処理されたビットストリームであるとする。そのインターリーブ処理については、後にも図２を用いて説明する。
【００２７】
なお、この参考例では、本発明に関連する発明のデータ記録装置の、受信部としてチューナ２および信号処理部３を、蓄積部として蓄積部４を、判定部として判定部５を、制御部として制御部６を、それぞれ用いる。
【００２８】
また、図１には図示していないが、放送局１２からの放送データは、データ中継局を介して、アンテナ８に伝送されるものとする。
【００２９】
次に、本発明に関連する発明のデータ記録装置１の動作を述べる。
【００３０】
先ず、以下の説明の便宜上、放送局１２は、チャンネル１で、２０００年１０月１０日の午後３時から２時間「世界のスポーツ史」という名称の番組を放送するとする。
【００３１】
そして、ユーザは、２０００年１０月９日に、その「世界のスポーツ史」という番組を録画するための、指示を制御部６に入力したものとする。
【００３２】
そうすると、制御部６は、ユーザの指示にしたがって、２０００年１０月１０日の午後３時になると、チューナ２および信号処理部３の動作を制御する。その制御に基づいて、チューナ２は、チャンネル１の「世界のスポーツ史」という番組を選択的に受信し、また、信号処理部３は、その「世界のスポーツ史」の放送データを、蓄積部４に蓄積させるためにデータ処理を行う。
【００３３】
以下に、信号処理部３の動作を具体的に説明する。放送局１２が放送する「世界のスポーツ史」という番組は、パケット多数個から構成されたビットストリームで放送され、バースト誤りを防ぐために、図２における「インターリーブ後」のデータストリームのように、パケットの伝送順序が再生時（図２における「インターリーブ復号後」のデータストリーム）の順序とは異なり、パケットが並べ替えられている。つまりインターリーブ処理されている。そこで、信号処理部３は、ビットストリームの所定のパケットに記録されているインターリーブ処理に関する情報に基づいて、放送されたままのパケットを、再生時の順序に並べ替える。つまり、インターリーブ復号を行う。また、放送局１２からのビットストリームには誤り訂正符号が含まれており、信号処理部３は、チューナ２が選択的に受信したビットストリームのパケットの一部が正しく受信されなかった場合、誤り訂正符号を利用して正しく受信されなかったパケットデータの復元も行う。
【００３４】
上述したように信号処理部３が処理を行っているとき、判定部５は、ビットストリームが正しく処理されているか否かを判定する。具体的には、判定部５は、放送されたままのパケットが再生時の順序に並べ替えられているか否かということと、正しく受信されなかったパケットデータが復元されているか否かということとを、判定する。
【００３５】
そして、制御部６は、信号処理部３によって処理されたデータを蓄積部４に蓄積させる。
【００３６】
ここで、午後３時から３時１０分までは、ビットストリームは、信号処理部３によって正しく処理され、蓄積部４に正しく蓄積されたものとし、午後３時１０分に、放送局１２からの放送データを中継するためのデータ中継局にトラブルが発生したとする。そのトラブルは、午後３時１０分から３時３０分までの２０分間続いたものとする。つまり、その２０分間は、放送局１２からの放送データは、正しく伝送されないということである。図３に、放送局１２から正しく伝送されなかった部分を含む放送データを説明するための図を示す。その放送データのうち「欠落データ」と表示されている部分が、正しく伝送されなかった放送データである。なお図３では、説明の便宜上、放送データとしてインターリーブ復号された後のデータストリームが示されている。
【００３７】
このようにデータ伝送されない時間が長いと、誤り訂正符号もその間伝送されずしたがって受信されないので、信号処理部３は、誤り訂正符号を利用することができない。その結果、受信されなかったパケットデータの復元を行うことができない。したがって、午後３時１０分から３時３０分までの２０分間の放送データは、蓄積部４に蓄積されない。図３では、受信データのうちの「受信不良」と表示されているチャンネル１のパケットが、受信不良のため蓄積部４に蓄積されないことになる。
【００３８】
この場合、判定部５は、チューナ２および信号処理部３における受信動作が正しく行われなかったものと判定する。さらにいうと、判定部５は、午後３時１０分から３時３０分までの放送データが正しく蓄積部４に蓄積されなかったものと判定する。また、判定部５は、受信動作が正しく行われなかった放送データの番組名を、受信動作が正しく行われた部分のビットストリーム内のデータを利用して特定するとともに、受信動作が正しく行われなかった時間を特定する。
【００３９】
なお、放送局１２からの放送データを中継するためのデータ中継局に発生していたトラブルは、午後３時３０分には解消し、その後番組終了まで、どのようなトラブルも発生せず、制御部６の制御に基づき、「世界のスポーツ史」という番組の残りの放送データは、蓄積部４に蓄積されたものとする。つまり、「世界のスポーツ史」という番組の放送データは、午後３時１０分から３時３０分までの２０分間を除いて、蓄積部４に正しく蓄積されたということである。
【００４０】
さて、判定部５によって、午後３時１０分から３時３０分までの放送データが正しく蓄積部４に蓄積されなかったものと判定された場合、制御部６は、その正しく蓄積されなかった放送データが再放送されることを要求する再放送要求を、判定部５によって特定された、正しく蓄積されなかった放送データの番組名とともに、ネットワークＩ／Ｆ７に、通信回線を利用させて放送局１２へ送信させる。
【００４１】
ところで、データ中継局にトラブルが発生すると、そのトラブルは広域に影響するので、放送局１２には再放送要求が集中する。そこで、放送局１２は、再放送要求の件数があらかじめ設定されている閾値を超えると、データ中継局にトラブルが発生していた時間に放送していた番組を再放送することを決定する。そして、放送局１２は、いつ再放送するのかという再放送日時に関する情報を含んだＥＰＧ（電子番組ガイド）を放送する。以下の説明の便宜上、再放送は、２０００年１０月１０日の午後１０時から行われるものとする。つまり、１回目の放送当日に再放送されるものとする。また、放送局１２は、その再放送日時に関する情報を含んだＥＰＧを、１回目の放送と再放送との間の２０００年１０月１０日の午後７時に放送するものとする。
【００４２】
そうすると、チューナ２は、放送局１２からの再放送日時に関する情報を含んだＥＰＧを受信し、信号処理部３は、チューナ２に受信されたＥＰＧを処理する。制御部６は、処理された再放送日時に関する情報に基づいて、２０００年１０月１０日の午後１０時１０分になると、チューナ２および信号処理部３の動作を制御し、チューナ２に「世界のスポーツ史」という再放送番組を受信させ、信号処理部３にその「世界のスポーツ史」の放送データを処理させて、蓄積部４に蓄積させる。制御部６は、その制御を午後１０時１０分から１０時３０分までの２０分間行う。なお、その２０分間にはいかなるトラブルも発生しなかったものとする。
【００４３】
このように、１回目の放送データの一部が正しく蓄積されなかった場合であっても、その正しく蓄積されなかったデータを少なくとも含むデータの再放送が決定され、その再放送日時に関する情報が放送されれば、１回目の放送時に正しく蓄積されなかったデータは、再放送時に蓄積され、番組全体が正しく蓄積されることになる。そして番組全体のデータが蓄積部４に蓄積されると、蓄積されたデータは、ユーザの指示に基づいて再生され、デコーダ９によって復元され、映像はディスプレイ１０に表示され、音声はスピーカ１１から出力される。
【００４４】
ここまでは、放送データを中継するためのデータ中継局においてトラブルが発生し、放送データの一部が正しく伝送されないことに起因して、１回目の放送データの一部が受信されず、その結果データの一部が正しく蓄積されなかった後に、正しく伝送されなかった放送データが再放送された場合、その再放送データを蓄積する場面を説明した。しかしながら、放送データが正しく伝送されないという事態は、データ中継局に発生するトラブルによるものばかりではなく、例えば大雨や雪など異常な気象状況においても起こりうる。つまり、データ中継局におけるトラブルに限らず、放送データの全部または一部が正しく伝送されず、その結果放送データの全部または一部が正しく受信・蓄積されないことがあるということである。そのような場合においても、判定部５は、信号処理部３によって、ビットストリームが正しく処理されているか否かを判定し、その判定結果が否である場合、正しく処理されなかった放送データの番組名を、いいかえると受信動作が正しく行われなかった放送データの番組名を、受信動作が正しく行われた部分のビットストリーム内のデータを利用して特定し、さらに受信動作が正しく行われなかった時間を特定する。また、判定部５は、正しく処理されなかった放送データを、正しく蓄積されなかったものと判定する。その判定に基づいて、制御部６は、その正しく蓄積されなかった放送データが再放送されることを要求する再放送要求を、ネットワークＩ／Ｆ７に、通信回線を利用させて放送局１２へ送信させる。その再放送要求には、正しく蓄積されなかった放送データの番組名を含ませる。放送局１２が再放送要求に基づいて再放送することを決定し、再放送日時に関する情報を含んだＥＰＧを放送すると、制御部６は、１回目の放送で正しく蓄積されなかったデータを、上述したようにして蓄積部４に蓄積させる。そうすると、番組全体が正しく蓄積されることになる。
【００４５】
次に、放送データは正しく伝送されたが、本発明に関連する発明のデータ記録装置１内におけるトラブルによって、放送データが蓄積部４に正しく蓄積されない場合を説明する。
【００４６】
具体例として、地震が発生し、データ記録装置１全体が振動して、蓄積部４のヘッドがハードディスクの正しいトラック位置からはずれ、放送データがハードディスクに正しく蓄積されない場合について説明する。なお、上述した場合と同様に、放送局１２は、チャンネル１で、２０００年１０月１０日の午後３時から２時間「世界のスポーツ史」という名称の番組を放送し、ユーザは、その放送より前にその「世界のスポーツ史」という番組を録画するための指示を制御部６に入力したものとする。また、地震は、２０００年１０月１０日の午後４時２０分から２１分にかけて発生するものとする。さらに、判定部５は、蓄積部４のヘッドがハードディスクの正しいトラック位置に存在しているか否かということをも判定するものとし、ヘッドが正しいトラック位置に存在していない場合、放送データが蓄積部４に正しく蓄積されなかったと判定するものとする。
【００４７】
ここで以下の説明の便宜上、地震が発生するまでは、制御部６の制御によって放送データは、蓄積部４に正しく蓄積されたものとする。
【００４８】
さて、地震が発生し、蓄積部４のヘッドがハードディスクの正しいトラック位置からはずれると、判定部５は、蓄積部４における蓄積動作が正しく行われなかったものと判定する。つまり、判定部５は、午後４時２０分から２１分までの放送データが正しく蓄積部４に蓄積されなかったものと判定する。それとともに、判定部５は、蓄積動作が正しく行われなかった放送データの番組名を、蓄積動作が正しく行われた部分のビットストリーム内のデータを利用して特定し、さらに蓄積動作が正しく行われなかった時間を特定する。
【００４９】
なお、地震が収束した後は、番組終了まで、どのようなトラブルも発生せず、制御部６の制御に基づき、「世界のスポーツ史」という番組の残りの放送データは、蓄積部４に正しく蓄積されたものとする。
【００５０】
さて、判定部５によって、午後４時２０分から２１分までの放送データが正しく蓄積部４に蓄積されなかったものと判定された場合、制御部６は、その正しく蓄積されなかった放送データが再放送されることを要求する再放送要求を、判定部５によって特定された、正しく蓄積されなかった放送データの番組名とともに、ネットワークＩ／Ｆ７に、通信回線を利用させて放送局１２へ送信させる。
【００５１】
その後の本発明に関連する発明のデータ記録装置１の動作は、上述したデータ中継局にトラブルが発生した場合と同様である。つまり、放送局１２が再放送要求に基づいて再放送することを決定し、再放送日時に関する情報を含むＥＰＧを放送し、その後実際に再放送した場合、制御部６がその再放送日時に関する情報に基づいて、あらためて放送データ（再放送データ）を蓄積部４に蓄積させるということである。このようにすると、番組全体は正しく蓄積される。
【００５２】
ここまでは、地震が発生し、蓄積部４のヘッドがハードディスクの正しいトラック位置からはずれ、放送データがハードディスクに正しく蓄積されない場合について説明したが、蓄積部４のヘッドがハードディスクの正しいトラック位置からはずれるという事態は、放送局１２からの放送データの伝送容量が大きすぎて、伝送されてくるデータの伝送速度に対応してヘッドが移動できない場合にも起こりうる。また、データ伝送は正しく行われているが、放送データがハードディスクに正しく蓄積されないという事態は、ハードディスクが経時変化等によって劣化している場合や、ハードディスクにゴミが付着している場合などにも起こりうる。また、停電が発生するなどして、データ記録装置１の動作が停止した場合にも、放送データは蓄積部４に正しく蓄積されないことになる。
【００５３】
そこで、判定部５は、ハードディスクにデータ全体を記録した後に、ハードディスクからデータを順次読み出して欠落データがないか否かを判定するものとする。その結果、欠落データの存在が確認されると、判定部５は、データの一部が蓄積部４に正しく蓄積されなかったものと判定する。
【００５４】
その判定の後のデータ記録装置１の動作は、上述した蓄積部４にデータの一部が正しく蓄積されなかったと判定された場合の動作と同様である。つまり、ネットワークＩ／Ｆ７が、制御部６の制御に基づいて、正しく蓄積されなかった放送データが再放送されることを要求する再放送要求を、番組名とともに、通信回線を利用して放送局１２へ送信し、それに対して、放送局１２が再放送することを決定し、再放送日時に関する情報を含むＥＰＧを放送し、その後実際に再放送した場合、制御部６がその再放送日時に関する情報に基づいてあらためて放送データ（再放送データ）を蓄積部４に蓄積させるということである。このようにすると、番組全体は正しく蓄積される。
【００５５】
なお、上述した参考例では、放送局１２が放送する放送データはＡＶデータであるとしたが、放送データは文字放送データであってもよい。また、放送局１２は４チャンネルのＡＶデータを放送するとしたが、放送チャンネル数は４に限定されない。また、放送局１２は、ＡＶデータとともに、ＥＰＧ（電子番組ガイド）を放送するとしたが、放送局１２は、ＡＶや文字等のデータのみを放送し、ＥＰＧは放送しないとしてもよい。ただし、放送局１２がＥＰＧを放送しない場合、放送局１２は、再放送要求を送信したデータ記録装置１に対して、通信回線等を用いて再放送日時に関する情報を送信する必要がある。なお、放送局１２がデータ記録装置１に再放送日時に関する情報を直接送信するのではなく、放送管理者等のデータ供給者がデータ記録装置１に再放送日時に関する情報を送信してもよい。要するに、放送局１２またはデータ供給者が、データ記録装置１の制御部６が処理することができる再放送日時に関する情報を送信しさえすればよい。また、放送局１２が放送する放送データはディジタルデータであるとしたが、放送データはアナログのデータであってもよい。その場合、データ記録装置１に、ディジタル／アナログ変換器を設けてもよい。
【００５６】
また、上述した参考例では、蓄積部４は、多数のトラックが設けられているハードディスクと、ヘッドとを有するＨＤＤであるとしたが、蓄積部４は、ＨＤＤに限るものではなく、例えば磁気テープにデータを記録するものであってもよい。要するに、蓄積部４は、放送データを蓄積するものでありさえすればよい。いずれにしても、判定部５は、蓄積部４に放送データが最終的に正しく蓄積されているか否かを、データ受信時や、データ蓄積時、または全体のデータが記録された後に再生するなどして判定しさえすればよい。
【００５７】
また、上述した参考例では、データ記録装置１にはネットワークＩ／Ｆ７が設けられているとしたが、ネットワークＩ／Ｆ７はデータ記録装置１に備えられていなくてもよい。その場合、放送局１２は、再放送要求を受信することはないが、ニュース等で放送データが正しく伝送されなかったことを知ることができ、そのニュースにしたがって再放送を決定し、ＥＰＧを放送し、その後再放送することができる。この場合であっても、制御部６はＥＰＧを利用することができるので、１回目の放送で正しく蓄積することができなかったデータは蓄積される。また、放送局１２は、データが最終的に正しく蓄積されていたか否かに関わらず、再放送するとしてもよい。その場合も、その再放送の前にＥＰＧ等を用いてデータ記録装置１の制御部６にその旨の情報を送信する必要がある。そうすると、その情報は制御部６によって利用され、１回目の放送で正しく蓄積することができなかったデータは蓄積されることになる。
【００５８】
さらに、上述した参考例では、制御部６は、１回目の放送で正しく蓄積されなかったデータを含むデータが再放送された場合、その再放送データのうちの、１回目の放送で正しく蓄積されなかったデータのみを蓄積させるとしたが、制御部６は再放送データ全部を蓄積させるとしてもよい。要するに、制御部６は、１回目の放送で正しく蓄積されなかったデータを含むデータが再放送された場合、その再放送データのうちの、１回目の放送で正しく蓄積されなかったデータを少なくとも蓄積させさえすればよい。
【００５９】
（実施の形態１）
次に、本発明の実施の形態１のデータ記録装置２１の構成を、その動作とともに、図４を用いて述べる。
【００６０】
図４は、本発明の実施の形態１のデータ記録装置２１のブロック図である。図４に示すように、本発明の実施の形態１のデータ記録装置２１は、チューナ２と、信号処理部３と、蓄積部４と、判定部５と、制御部６と、ネットワークＩ／Ｆ２７から構成される。なお、図４には、アンテナ８と、デコーダ９と、ディスプレイ１０と、スピーカ１１と、放送局１２と、ネットワークプロバイダ２２も表示している。また、上述した参考例において説明した手段と同じ符号を有する手段は、実施の形態１においても、同様の機能を有し、参考例で説明したように動作するものとする。ところで、実施の形態１と上述した参考例の相違は、判定部５によって、蓄積部４にデータが最終的に正しく蓄積されなかったと判定された後の動作であるので、実施の形態１では、その部分について説明する。
【００６１】
さて、判定部５が、放送データが蓄積部４に最終的に正しく蓄積されなかったと判定した場合、制御部６は、その正しく蓄積されなかった放送データを個別に送信することを要求する個別送信要求を、正しく蓄積されなかった部分を指定して、番組名とともに、ネットワークＩ／Ｆ２７に、通信回線を利用させてネットワークプロバイダ２２へ送信させる。
【００６２】
図５に、放送データが正しく伝送され、かつそのデータのうちのユーザが選択したチャンネル１のデータが正しく受信されたのにもかかわらず、蓄積部４にデータが正しく蓄積されなかった場合を説明するための図を示す。図５に示すように、「蓄積不良」と表示されたパケットが存在する場合、上述したように、個別送信要求は、ネットワークプロバイダ２２へ送信される。
【００６３】
ところで、ネットワークプロバイダ２２は、放送局が放送した放送データを完全に蓄積しているものであって、ネットワークＩ／Ｆ２７からの個別送信要求を受信すると、その個別送信要求にしたがって、指定されたデータのみを、通信回線を用いてネットワークＩ／Ｆ２７に送信する。ネットワークＩ／Ｆ２７は、ネットワークプロバイダ２２からのデータを受信し、それを信号処理部３に出力するとともに、信号処理部３にデータを出力した旨の情報を制御部６に出力する。
【００６４】
そうすると、信号処理部３は、ネットワークＩ／Ｆ２７からのデータを処理し、制御部６は、ネットワークＩ／Ｆ２７がネットワークプロバイダ２２から受信したデータであって、信号処理部３に処理されたデータを蓄積部４に蓄積させる。
【００６５】
このように、放送データの一部が正しく蓄積されない場合であっても、その正しく蓄積されなかったデータが個別に送信されることによって、放送時に正しく蓄積されなかったデータは蓄積され、番組全体が正しく蓄積されることになる。
【００６６】
なお、上述した実施の形態１では、本発明のデータ記録装置の、第１受信部としてチューナ２および信号処理部３を、蓄積部として蓄積部４を、判定部として判定部５を、送信部としてネットワークＩ／Ｆ２７を、第２受信部としてネットワークＩ／Ｆ２７および信号処理部３を、制御部として制御部６を、それぞれ用いた。
【００６７】
また、上述した実施の形態１では、ネットワークＩ／Ｆ２７は、個別送信要求を、番組名や個別送信を要求する部分を指定して、通信回線を利用してネットワークプロバイダ２２へ送信するとしたが、ネットワークＩ／Ｆ２７は、個別送信要求を、番組名や個別送信を要求する部分を指定して、通信回線を利用して放送局１２へ送信し、放送局１２からデータを入力するとしてもよい。
【００６８】
また、上述した実施の形態１では、ネットワークプロバイダ２２は、指定されたデータのみをネットワークＩ／Ｆ２７に個別送信するとしたが、ネットワークプロバイダ２２または放送局１２は、指定されたデータを含む番組全体のデータを個別送信するとしてもよい。その場合、制御部６は、個別送信されてきた全データを蓄積部４に蓄積させてもよいし、個別送信されてきたデータのうち、蓄積部４に最終的に正しく蓄積されなかった放送データのみを蓄積部４に蓄積させてもよい。要するに、制御部６は、個別送信されてきたデータのうち、蓄積部４に最終的に正しく蓄積されなかった放送データを少なくとも蓄積部４に蓄積させさえすればよい。なお、蓄積部４に放送データが最終的に正しく蓄積されない場合は、放送データが正しく受信されたのにもかかわらず、蓄積部４に正しく蓄積されない場合だけではなく、放送データが正しく受信されないために蓄積部４に正しく蓄積されない場合もある。
【００６９】
また、上述した参考例のデータ記録装置１、および実施の形態１のデータ記録装置２１の各構成要素の全部または一部は、ハードウェアであってもよいし、そのハードウェアの該当する機能と同じ機能を有するソフトウェアであってもよい。
【００７０】
さらに、本発明のデータ記録装置の各構成部の全部または一部の各機能をコンピュータにより実現させるためのプログラムを格納したことを特徴とするプログラム記録媒体も、本発明に該当する。
【００７２】
【発明の効果】
以上説明したところから明らかなように、本発明は、記録を指示された放送データの全部または一部を正しく記録することができなかった場合、その正しく記録することができなかった放送データを個別に送信するように要求し、放送局またはデータ提供者側が、その個別送信要求に応じて、少なくとも正しく記録することができなかったデータを個別に送信した場合、個別送信データのうちの、正しく記録することができなかったデータを少なくとも記録するデータ記録装置を提供することができる。
【図面の簡単な説明】
【図１】本発明に関連する発明のデータ記録装置のブロック図
【図２】インターリーブ処理された放送データを説明するための図
【図３】本発明に関連する発明のデータ記録装置の動作を説明するための図
【図４】本発明の実施の形態１のデータ記録装置のブロック図
【図５】本発明の実施の形態１のデータ記録装置の動作を説明するための図
【符号の説明】
１  データ記録装置
２  チューナ
３  信号処理部
４  蓄積部
５  判定部
６  制御部
７  ネットワークＩ／Ｆ
８  アンテナ
９  デコーダ
１０  ディスプレイ
１１  スピーカ
１２  放送局
２１  データ記録装置
２２  ネットワークプロバイダ
２７  ネットワークＩ／Ｆ
【図１】
0004263316.tif 000002
【図２】
0004263316.tif 000003
【図３】
0004263316.tif 000004
【図４】
0004263316.tif 000005
【図５】
0004263316.tif 000006